(57)【要約】【課題】  従来の携帯電話には動画の編集機能がない。また、携帯電話に搭載できる記録媒体の容量や性能も劣り、編集に関してはメール転送によるパーソナルコンピュータで行なう手段しかなく大変手間が掛かっている。【解決手段】  動画の編集機能及び動画の蓄積機能をセンタへ持たせることにより大容量の動画コンテンツの編集や閲覧を簡単にできる。また、センタで動画及び閲覧者の管理及び閲覧者制限機能を持たせることにより個人情報の漏洩も防ぐことが可能である。【選択図】図１
2009290388.tif 000002
【特許請求の範囲】
【請求項１】
契約者毎に情報蓄積領域を持つストレージと契約者の依頼を受け付けるサーバと携帯電話をインターネトで結び、契約者が携帯電話から動画を送付すると、前記サーバは前記情報蓄積領域に動画を蓄積する動画蓄積システムにおいて、
契約者により閲覧可能者の情報を前記サーバに登録しておき、該サーバでは閲覧者がアクセスする度に送付されてくる閲覧者の情報と登録されている情報を比較し、登録されている閲覧者のみ閲覧を許可する手段を備えたことを特徴とする携帯電話向け動画蓄積編集閲覧システム。
【請求項２】
請求項１記載に加え契約者の動画の登録手段と、動画の閲覧規制手段と、動画の編集手段と、動画の閲覧手段と、予め指定された閲覧者の動画の閲覧手段を搭載したことを特徴とした携帯電話向け動画蓄積編集閲覧システム。
【発明の詳細な説明】
【技術分野】
【０００１】
本発明は、携帯電話で撮影した動画の蓄積・編集・閲覧をサーバを利用して行う携帯電話向け動画蓄積編集閲覧システムに関する。
【背景技術】
【０００２】
従来の動画蓄積は携帯電話に付属している媒体へ蓄積・登録し、編集では、その媒体を介してまたは、メールシステムを利用してパーソナルコンピュータ他や動画編集プログラムを搭載した機器に登録して編集閲覧を行っていた。従来の方式では携帯電話で即動画の編集は対応していない、また、携帯電話への動画蓄積にも限界があり、特定の閲覧者への配布も簡単にはできない。
【０００３】
【特許文献１】特開２００５−１１７３７５号公報
【特許文献２】特開２００３−３６９１３０号公報
【発明の開示】
【発明が解決しようとする課題】
【０００４】
従来は携帯電話上で動画の蓄積及び編集には機能的及び構造上の欠点と、大容量及び大量動画の蓄積、編集等の能力の問題があった。また、動画の配布もメールシステムによる転送及び記録媒体を介した転送手段しかなく手間がかかってしまう欠点があった。
【課題を解決するための手段】
【０００５】
上記課題を達成するため、請求項１に係る発明は、サーバに契約者の登録及び閲覧者の登録システムを備えることにより、携帯電話の動画の閲覧者の特定を可能とすることを特徴とする。
【０００６】
また、請求項２に係る発明は、ストレージに動画を蓄積し、サーバに動画の編集機能を備えることにより、携帯電話から簡単に動画の編集ができることを特徴とする。
【発明の効果】
【０００７】
本発明によれば、閲覧者の情報をストレージで管理することにより特定の閲覧者に動画の配布が可能となる。また、サーバの編集機能を持たせることにより、携帯電話から簡単に編集が可能である。
【発明を実施するための最良の形態】
【０００８】
以下、本発明を実施例に基づいて説明する。
【実施例１】
【０００９】
図１は本システムの全体構成図を示しており、インターネット１０３に接続した動画登録・編集を行う携帯電話１０１、動画の閲覧が行える携帯電話１０２、動画の蓄積や編集処理を行なうセンタ１０４からなる構成の一例である。
【００１０】
同図において、各携帯電話には、動画の閲覧、編集、センタ１０４へ動画登録するためのディスプレイ部及び操作するためのキーボタン等を含む操作部を備えている。
【００１１】
センタ１０４はサーバ部１１２、ストレージ部１１３を備えており、サーバ部１１２は契約者と閲覧者を管理する契約者・閲覧者管理機能部１０５、動画登録機能部１０６、動画編集機能部１０７、動画を各携帯電話機種毎に再生フォーマット調整する動画フォーマット変換・送信機能部１０８を備え、ストレージ部１１３は契約者・閲覧管理機能部１０５、動画登録機能部１０６、動画編集機能部１０７、動画フォーマット変換・送信機能部１０８で使用するデータベースＤＢを備えている。データベースはユーザ情報ＤＢ、動画蓄積ＤＢ、動画編集作業ＤＢを持ちＤＢの高速バックアップ機能を備えている。
【００１２】
次に携帯電話の画面構成について説明する。本発明のメインとなる画面は図９の画面であり、この画面には動画登録、動画編集、動画連結、動画閲覧、閲覧者登録、キャンセル等の動画蓄積閲覧サービス画面表示され、該画面表示から動画の登録、編集、閲覧といった操作が可能である。
【００１３】
動画の登録は、契約者が図１２に示す携帯電話画面の各入力項目（ファイル名及び閲覧者レベル）１２０１〜１２０８を入力することによりにセンタ１０４へ動画を登録することができる。
【００１４】
また、閲覧者レベル１２０２、１２０４、１２０６、１２０８は、図１５に示す通り、閲覧者の制限を設けることで有害動画等の閲覧を制限可能である。
【００１５】
契約者による閲覧者の登録は、図１１に示す各入力項目（氏名、携帯電話番号、携帯電話機種名、メールアドレス）１１０１〜１１０４の項目を選択入力することによって閲覧者への閲覧レベル１１０５を設定可能である。
【００１６】
契約者による動画の編集は、図１３に表示された動画を図１３に示す動画ａ部１３０１のように選択し、ディスプレイに表示された動画１３０２を編集する。動画の連結操作は、図１４に示す動画ａ部１４０１、動画ｂ部１４０２のように連結したい動画を選択し、動画を連結することが可能である。
【００１７】
契約者及び閲覧者の動画閲覧は、図１５に示す動画ａ部１５０１を選択することにより動画を携帯電話で閲覧が可能である。次にセンタ１０４のストレージ部１１３で保持するデータベースＤＢについて説明する。
【００１８】
ユーザ情報及び動画を蓄積するストレージ部１１３のデータベースは図６、図７及び図８に示す如く構成されており、データベース破壊に備え定期的にストレージ部１１３の機能を使用しデータベースを高速にバックアップする機能を備えている。ユーザ情報データベース１０９は携帯電話番号６０１ａ、携帯電話固有情報６０１ｂ、登録者名６０１ｃ、携帯電話機種名６０１ｄ、メールアドレス６０１ｅ、閲覧者情報６０１ｌを含み、動画蓄積データベース１１０は携帯電話番号７０１ａ、携帯電話固有情報７０１ｂ、動画情報７０１ｊを含み、動画編集作業データベース１１１は携帯電話番号８０１ａ、携帯電話固有情報８０１ｂ、動画編集情報８０１ｈを含んでいる。
【００１９】
以下、携帯電話１０１とセンタ１０４間の動作の流れを示す図２、図３のフローチャートに沿って説明する。
【００２０】
契約者の動画登録は、図２のフローチャートに沿って処理する。即ち、携帯電話１０１をもって動画の登録操作を行い（ステップＳ２０１）、登録したい動画を選択し、センタ１０４へ動画ファイルを伝送する。センタ側ではその伝送された動画を受け取り、動画蓄積データベース１１０Ｓ２０２へ蓄積を行ない（ステップＳ２０２）、データベースをストレージ部１１３の機能を使用してデータベースのバックアップする（ステップＳ２０３）。
【００２１】
契約者の動画編集は、図３のフローチャートに沿って処理する。即ち、携帯電話１０１をもって動画編集ボタンを選択し（ステップＳ３０１）、センタ１０４へ動画編集開始情報を伝送する。センタ側ではその情報を受け取り、動画蓄積データベース１１０の検索を行なう（ステップＳ３０２）。
【００２２】
その結果を得てサムネイルの作成と携帯電話に最適な動画フォーマット変換を行い（ステップＳ３０３）、携帯電話へサムネイル動画を伝送する。携帯電話ではそのサムネイルを表示し（ステップＳ３０４）、編集した動画を選択しセンタ側へ動画の編集指示を行い（ステップＳ３０５）、編集対象フレーム情報を伝送する。センタ側ではその情報を元に動画の編集（ステップＳ３０６）、動画編集作業用データベース１１１への動画登録（ステップＳ３０７）、動画のフォーマット変換を行い（ステップＳ３０８）、携帯電話へ編集後の動画ファイルを伝送し、携帯電話にて編集動画の確認を行う（ステップＳ３０９）。
【００２３】
携帯電話側で編集後の動画確認を行い問題ない場合には、動画登録を行い（ステップＳ３１０）、動画登録情報をセンタ側へ伝送する。センタ側はその情報を元に動画蓄積データベース１１０へ動画の登録を行い（ステップＳ３１１）、ストレージの機能を使用して高速データベースバックアップを行なう（ステップＳ３１２）。
【００２４】
次に携帯電話１０１又は１０２とセンタ１０４間の動作の流れを示す図４、図５のフローチャートに沿って説明する。
【００２５】
契約者による動画の閲覧は図４のフローチャートに沿って処理する。先ず、携帯電話１０２をもって動画の検索を行い（ステップＳ４０１）、動画検索開始情報をセンタ１０４へ伝送する。センタ側はその情報を元に動画蓄積データベース１１０から動画の検索を行い（ステップＳ４０２）、その検索結果を元にサムネイルの作成及びフォーマット変換を実施し（ステップＳ４０３）、を行い携帯電話へ動画ファイルの伝送を行なう。
【００２６】
携帯電話側ではその動画ファイルを受け取り、サムネイル表示（ステップＳ４０４）する。この表示を見て、所望のダウンロード動画の選択を行い（ステップＳ４０５）、動画ファイル情報をセンタ側へ伝送する。センタ側は動画ファイル情報を受け、動画の絞込みを行い（ステップＳ４０６）、フォーマット変換（ステップＳ４０７）を行ったあと、動画ファイルを携帯電話側へ伝送する。携帯電話側では、この動画ファイルをタウンロード（ステップＳ４０８）し、その結果として動画を閲覧（ステップＳ４０９）する。
【００２７】
次に閲覧者による動画閲覧は図５のフローチャートに沿って処理する。基本的には契約者の動画閲覧と同じであり、図５に示す通りの動作を行なう（ステップＳ５０１からステップＳ５０９）。
【産業上の利用可能性】
【００２８】
本願発明は携帯電話向け動画蓄積編集閲覧に適しているが、携帯電話に限る必要はなく、携帯電話の如く移動可能な端末にも利用可能である。
【図面の簡単な説明】
【００２９】
【図１】全体システム構成を示すブロック図
【図２】契約者の動画登録時の動作を示す携帯電話とセンタ間の動作フローチャート
【図３】契約者による動画編集時の動作を示す携帯電話とセンタ間の動作フローチャート
【図４】契約者による動画閲覧時の動作を示す携帯電話とセンタ間の動作フローチャート
【図５】閲覧者による動画閲覧時の動作を示す携帯電話（閲覧者）とセンタ間の動作フローチャート
【図６】ユーザ情報を管理するデータベースの情報を示す図
【図７】動画が蓄積されるデータベースの情報を示す図
【図８】動画を編集する際に使用するデータベースの情報を示す図
【図９】契約者の携帯電話に表示されるメイン画面を示す図
【図１０】閲覧者の携帯電話に表示されるメイン画面を示す図
【図１１】契約者の携帯電話に表示される閲覧者登録画面を示す図
【図１２】契約者の携帯電話に表示される動画登録画面を示す図
【図１３Ａ】契約者の携帯電話に表示される動画編集画面を示す図
【図１３Ｂ】契約者の携帯電話に表示される動画編集画面を示す図
【図１３Ｃ】契約者の携帯電話に表示される動画編集画面を示す図
【図１４】契約者の携帯電話に表示される動画連結画面を示す図
【図１５】契約者及び閲覧者の携帯電話に表示される閲覧画面を示す図
【図１６】契約者が携帯電話から動画をセンタに登録する際に付与する閲覧制限レベルを示した図
【符号の説明】
【００３０】
１０４：センター、１１２：サーバ部、１１３：ストレージ部、１０１．１０２：携帯電話、１０５：契約者・閲覧者管理機能部、１０６：動画登録・削除機能部、１０７：動画編集機能部、１０８：動画フォーマット変換・送信機能部、１０９：ユーザ情報ＤＢ、１１０：動画蓄積ＤＢ、１１１：動画編集作業ＤＢ
【図１】
2009290388.tif 000003
【図２】
2009290388.tif 000004
【図３】
2009290388.tif 000005
【図４】
2009290388.tif 000006
【図５】
2009290388.tif 000007
【図６】
2009290388.tif 000008
【図７】
2009290388.tif 000009
【図８】
2009290388.tif 000010
【図９】
2009290388.tif 000011
【図１０】
2009290388.tif 000012
【図１１】
2009290388.tif 000013
【図１２】
2009290388.tif 000014
【図１３Ａ】
2009290388.tif 000015
【図１３Ｂ】
2009290388.tif 000016
【図１３Ｃ】
2009290388.tif 000017
【図１４】
2009290388.tif 000018
【図１５】
2009290388.tif 000019
【図１６】
2009290388.tif 000020